(57)【特許請求の範囲】
【請求項１】
本体部（１）に複数の印字ベルト（９ａ・９ｂ・９ｃ）と、印字ベルト（９ａ・９ｂ・９ｃ）を回転操作する操作ダイヤル（１０）とを含む回転印字機構が設けられており、本体部（１）の下部に装着した印面台（２）の座壁（１２）に、印字ベルト（９ａ・９ｂ・９ｃ）の印面を囲む状態で固定表示部（３）が設けてある回転ゴム印であって、
固定表示部（３）が、印面台（２）の座壁（１２）に固定された第１印字体（２２）と、印面台（２）に対して交換可能に装着される第２印字体（２３）とで構成されており、 第２印字体（２３）は、支持体（２７）と、支持体（２７）の下端面に固定したゴム印字体（２８）とを含み、
本体部（１）の外フレーム（６）に、第２印字体（２３）を外フレーム（６）内に出し入れ操作するための着脱口（３１）が形成されており、
印面台（２）の座壁（１２）と第１印字体（２２）とには、着脱口（３１）から外フレーム（６）内に差し込んだ第２印字体（２３）のゴム印字体（２８）が入り込む窓（１９）と通口（２５）とがそれぞれ開口しており、
外フレーム（６）内に着脱口（３１）を介して第２印字体（２３）を差し込み装着した状態において、第２印字体（２３）の印面高さが調整可能であることを特徴とする複数の印字ベルトを備えた回転ゴム印。
【請求項２】
本体部（１）に対して印面台（２）は、本体部（１）から離れるベルト操作位置と、本体部（１）に接当する捺印位置との間で接離スライド可能に装着されており、印面台（２）をベルト操作位置にスライド変位した状態において、第２印字体（２３）が印面台（２）に対して着脱口（３１）から外フレーム（６）内に差し込まれて着脱可能である請求項１記載の複数の印字ベルトを備えた回転ゴム印。
【請求項３】
外フレーム（６）に第２印字体（２３）の上方移動限界を規定するストッパー（３２）が設けられており、
ストッパー（３２）と第２印字体（２３）との間に、第２印字体（２３）の印面の高さを調整する調整ねじ（２６）が設けてある請求項１または２記載の複数の印字ベルトを備えた回転ゴム印。  
【発明の詳細な説明】
【０００１】
【発明の属する技術分野】
この発明は、日付印や番号印に代表される複数の印字ベルトを備えている回転ゴム印に関する。
【０００２】
【従来の技術】
この種の回転ゴム印は、例えば実公平２−１９２５７号公報や実用新案登録第２５９８３２９号公報にみることができる。例えば日付印の印字面は、年月日等を印字する複数の印字ベルトと、印字内容が変わらない固定表示部とで構成してある。固定表示部は印面台に固定してあり、印面台を本体部から離れる方向へスライド変位することにより、印字ベルトを回転できるようになっている。本発明に関して、多数個の印字体を印面台に差し換えて日付等を印字する、いわゆる差し換え式の日付印は周知である。
【０００３】
【発明が解決しようとする課題】
日付印は受付日、領収日、検査日、貸出し日、あるいは販売日等を捺印する際に多用されるが、差し換え式の日付印の場合には、日付はもちろん、日付に隣接する表示欄のゴム印を差し換えることにより、印字内容を多様に変更できる。例えば氏名欄のゴム印を差し換えることにより、誰がそのゴム印を捺印したかを判別でき、責任の所在を明確化できる。しかし、日付が変わる毎に印字体を差し換えねばならないので、その手間が煩わしい。とくに、月初めや休日明けなどには、複数の印字体の差し換えが必要となり、差し換えに多くの手間がかかる。
【０００４】
一方、印字ベルトを印字要素とする日付印の場合には、操作ダイヤルを送り操作するだけで日付を簡単に変更できる。しかし、固定表示部の表示が常に一定であるため、印字内容が固定化されてしまう。例えば、日付印を複数人で共用する場合に、差し換え式の日付印とは異なり、そのゴム印を誰が捺印したかまでは識別できない。多くの場合には、日付印を個々人毎に購入して、捺印した担当者を識別しているが、全体コストが高く付く。こうした理由から、差し換え式の日付印と印字ベルト式の日付印とは、それぞれ用途に応じて使い分けられているのが現状である。
【０００５】
この発明の目的は、複数の印字ベルトの印字面の変更を簡単に行えるうえ、必要に応じて印字体を交換装着することにより、固定表示部の印字内容変更でき、従って、回転ゴム印であるにもかかわらず、差し換え印と同様に印字内容を多様に変更できる回転ゴム印を提供することにある。この発明の他の目的は、印面台に差し換え装着される第２印字体の交換操作を、回転ゴム印の構成部品を分解する必要もなく簡単に、しかも迅速に行え、従って取り扱いの容易な回転ゴム印、とくに日付印を提供することにある。
【０００６】
【課題を解決するための手段】
この発明の回転ゴム印は、本体部１に複数の印字ベルト９ａ・９ｂ・９ｃと、印字ベルト９ａ・９ｂ・９ｃを回転操作する操作ダイヤル１０とを含む回転印字機構が設けられている。本体部１の下部に装着した印面台２には、印字ベルト９ａ・９ｂ・９ｃの印面を囲む状態で固定表示部３が設けてある。固定表示部３の印面が、印面台２に固定された第１印字体２２と、印面台２に交換可能に装着された第２印字体２３とで構成してあることを特徴とする。
【０００７】
具体的には、印面台２の座壁１２および第１印字体２２に、第２印字体２３の印面を露出させる窓１９を開口する。本体部１に対して印面台２は、本体部１から離れるベルト操作位置と、本体部１に接当する捺印位置との間で接離スライド可能に装着する。本体部１の外フレーム６に第２印字体２３を出し入れ操作するための着脱口３１を形成する。印面台２をベルト操作位置にスライド変位した状態において、第２印字体２３を印面台２に対して着脱口３１を介して着脱可能に設ける。
【０００８】
外フレーム６に第２印字体２３の上方移動限界を規定するストッパー３２を設け、ストッパー３２と第２印字体２３との間に、第２印字体２３の印面の高さを調整する調整ねじ２６を設ける。
【０００９】
着脱口３１の内面左右に、第２印字体２３の左右遊動を規制するための規制片３３を設ける。
【００１０】
【発明の作用効果】
印字ベルト９ａ・９ｂ・９ｃと、その印面を囲む固定表示部３とで印面が構成してある回転ゴム印において、固定表示部３の印面の一部を、印面台２に対して交換可能に装着される第２印字体２３で形成するので、第２印字体２３を差し換えることにより、固定表示部３の印字内容を多様に変更できる。従って、日付や番号などの印字ベルト９ａ・９ｂ・９ｃの印字面の変更を簡単に行えるうえ、必要に応じて固定表示部３の印字内容までも変更できる、印字ベルト式の回転ゴム印の特長と、差し換え式のゴム印の特徴とを兼ね備えた、使い勝手のよい回転ゴム印が得られる。
【００１１】
印面台２をベルト操作位置にスライド変位した状態において、第２印字体２３が印面台２に対して着脱口３１を介して交換着脱される回転ゴム印によれば、印字ベルト９ａ・９ｂ・９ｃを送り操作する場合と同様に、単に印面台２をベルト操作位置へスライド操作した後、第２印字体２３を印面台２から取り外し、新たな第２印字体２３を簡単に印面台２に装着できるので、第２印字体２３の交換操作を、回転ゴム印の構成部品を分解する必要もなく簡単に、しかも迅速に行え、従って取り扱いの容易な、複数の印字ベルトを備えた回転ゴム印、とくに使い勝手のよい日付印が得られる。
【００１２】
外フレーム６に設けたストッパー３２と、第２印字体２３との間に調整ねじ２６を設け、このねじ２６で第２印字体２３の印面の高さを調整する回転ゴム印によれば、第１・第２の両印字体２２、２３の仕上がり寸法にばらつきがあっても、調整ねじ２６で第２印字体２３の印面高さを調整することにより、両者の印面高さを一致させて印字品質を向上できる。
【００１３】
着脱口３１の内面左右に規制片３３を設け、これらの規制片３３で第２印字体２３の左右遊動を規制すると、第２印字体を印面台２に対して適正な姿勢で組み付けることができるうえ、捺印時の反力で第２印字体２３が傾動するのを阻止して、常に適正に捺印できる。
【００１４】
【実施例】
図１ないし図８は、この発明に係る日付印（回転ゴム印）の実施例を示す。図２において、日付印は本体部１と、本体部１の内部に組み込まれる回転印字機構と、本体部１の下部に装着される印面台２と、印面台２の下面に設けられる固定表示部３などで構成する。
【００１５】
本体部１は内フレーム４と、内フレーム４の下端に固定したブリッジ５と、内フレーム４の外面を覆う前後に二分割された外フレーム６と、外フレーム６の上端に設けた固定枠７およびグリップ８などで構成する。グリップ８との下部には、印字ベルト印字ベルト９ａ・９ｂ・９ｃの印面高さを調整するための高低調整盤１４が設けてあり、この高低調整盤で、内フレーム４をねじ１１を介して上下に調整操作できる。後述する第２印字体２３を外フレーム６内に対して出し入れ操作するために、図４に示すように外フレーム６の後面に着脱口３１を切り欠き形成し、その内面壁に位置決め用のストッパー３２を設けている。
【００１６】
図２において回転操作機構は、年号表示用の印字ベルト９ａと、月表示用の２個の印字ベルト９ｂと、日表示用の２個の印字ベルト９ｃと、これらの印字ベルト９ａ・９ｂ・９ｃを個別に回転送り操作する操作ダイヤル１０とからなる。印字ベルト９ａ・９ｂ・９ｃは、内フレーム４で軸支した操作ダイヤル１０と、ブリッジ５とに巻き掛けられていて、操作ダイヤル１０を回転操作することにより、印字内容を変更することができる。
【００１７】
図４において印面台２は、円形の座壁１２と、座壁１２の上面に立設されるスライド枠１３と、座壁１２の周縁下面に突設されて、捺印時における印面の変形限界を規定するリング状の規制脚１５を一体に成形したプラスチック成形品からなる。スライド枠１３の左右壁の上部にはビスの挿通用の穴が通設され、前後壁には切欠１７が形成してある。座壁１２の前後中央には、各印字ベルト９ａ・９ｂ・９ｃを下面側へ露出させるためのベルト窓１８と、後述する第２印字体２３を下面側へ露出させるための窓１９が通設してある（図１参照）。座壁１２には、固定表示部３を固定するが、その印面は規制脚１５の下端面より僅かに突出する。
【００１８】
図８において固定表示部３は、座壁１２に接着固定される第１印字体２２と、印面台２に対して着脱可能に装着される第２印字体２３とからなる。両印字体２２・２３の印面はインクを含浸できるゴム浸透材で形成してある。第１印字体２２は円形シート状の成形ゴム印字体からなり、その中央に印字ベルト９ａ・９ｂ・９ｃ用の左右横長の通口２４を開口し、通口２４に隣接する印面前部に、受付、領収、検査日などの文字や絵柄などが鏡文字として形成してある。通口２４に隣接する印面後部には、第２印字体２３用の通口２５が開口してある。
【００１９】
図４において第２印字体２３は、プラスチック成形品からなる支持体２７と、その下端面に固定したゴム印字体２８とからなる。支持体２７には摘み部２９が突設してあり、両者２７・２９の間に、支持体２７の前後方向のぐらつきを防ぐ溝３０が設けてある。図７に示すように第２印字体２３は、そのゴム印字体２８を始端にして着脱口３１から外フレーム６内へ差し込み、ゴム印字体２８を窓１９と通口２５内に入り込ませた後、図１に示すように先の溝３０を外フレーム６の着脱口３１の上縁壁に係合させて、支持体２７の上端をストッパー３２に接当させる。これにより、第二印字体２３の印面高さを、第１印字体２２の印面高さに一致させる。この状態の支持体２７を左右遊動不能に支持するために、図６に示すように、着脱口３１の左右側縁の内面に規制片３３を設け、これらの規制片３３で支持体２７の左右側面を受け止めている。規制片３３は、支持体２７を組む際のガイドとしても機能する。出来上がり寸法のばらつきによって、第１・第２の各印字体２２・２３の印面高さが揃わない場合がありうる。こうした場合に備えて支持体２７の上端に調整ねじ２６を設け、このねじ２６を締緩操作することにより、第２印字体２３の印面高さを調整できるようにしている。調整ねじ２６の上端はストッパー３２と接当する。
【００２０】
印面台２のスライド枠１３を、外フレーム６の下端に外嵌し、スライド枠１３の穴を介して外フレーム６を貫通するビス３４とナット３５とで、スライド枠１３を締結することにより、印面台２を本体部１に対して脱落不能に、しかし上下スライドは可能に締結する。締結状態のままで印面台２の上下スライドを可能とするために、外フレーム６に設けたビス挿通穴３６を上下方向の長穴で形成している（図４参照）。図７に示すように印面台２を本体部１から離れる向きへスライド操作すると、窓１８が各印字ベルト９ａ〜９ｃの下端から抜け出る。この状態で、操作ダイヤル１０を回転させて任意の印字ベルト９ａ〜９ｃを送り操作し、あるいは後退送り操作できる。第２印字体２３の印面台２に対する着脱操作も、印面台２を本体部１から離れる向きへスライド操作した状態で行う。
【００２１】
以上のように構成した日付印によれば、予め用意しておいた複数の第２印字体２３を、印面台２に対して交換装着することにより、固定表示部３の印字内容を多様に変更できる。例えば、氏名、社員番号、大会の開催回数等を第２印字体２３で印字できる。また、食品を販売した時間が午前か午後か、あるいは食品の賞味期限などの、印字ベルト９ａ・９ｂ・９ｃで印字される基準日付に関連した第２日付を第２印字体２３で印字できる。
【００２２】
上記の実施例以外に、第２印字体２３は複数個の印字体で構成することができる。必要があれば、印字ベルト９ａ・９ｂ・９ｃを間に挟む固定印字部３の前後２箇所に、第２印字体２３を配置できる。この発明は、規制壁１５を備えていない日付印に適用できる。また日付印以外に、固定印字部３を備えている番号印等にも適用できる。但しこの場合の番号は複数の印字ベルトで印字することを要する。
【図面の簡単な説明】
【図１】日付印の腰部の縦断側面図である。
【図２】本体部を破断した縦断背面図である。
【図３】本体部を破断した縦断側面図である。
【図４】印面台を下方へスライドした状態の斜視図である。
【図５】印面台の背面図である。
【図６】図５におけるＡ―Ａ線断面図である。
【図７】第２印字体の装着法を示す縦断側面図である。
【図８】印面台の底面図である。
【符号の説明】
１  本体部
２  印面台
３  固定表示部
９ａ〜９ｃ  印字ベルト
２２  第１印字体
２３  第２印字体
２７  支持体
２８  ゴム印字体
２９  摘み部
３１  着脱口
３２  ストッパー
【図１】
0003642406.tif 000002
【図２】
0003642406.tif 000003
【図３】
0003642406.tif 000004
【図４】
0003642406.tif 000005
【図５】
0003642406.tif 000006
【図６】
0003642406.tif 000007
【図７】
0003642406.tif 000008
【図８】
0003642406.tif 000009